(57)【要約】【課題】  遊技機の背面側のスペースを有効に利用可能な遊技機の提供を課題とする。【解決手段】    本発明においては、パチンコ遊技機１０の前面側に前面通路３０を配設することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。また、ガラス枠１３を回動させることにより、前面通路３０は本体枠１２の前面側に形成された第一の通路構成部３０Ａとガラス枠１３の背面側に形成された第二の通路構成部３０Ｂとに分離することが可能であるため、前面通路３０の清掃を容易に行うことができる。【選択図】  図４
2014140726.tif 000002
【特許請求の範囲】
【請求項１】
上部に備えられ外部装置から遊技球が供給される供給部と、本体枠の前面側に設けられた遊技領域と、上記本体枠の前面側において回動可能に枢支されるとともに所定の回動位置にて同本体枠に背面側を略密着させつつ窓穴から上記遊技領域を視認させる窓枠とを備える遊技機において、
上記本体枠に背面側が略密着するように上記窓枠を回動させたときに、上記本体枠の前面側に形成された第一の通路構成部と上記窓枠の背面側に形成された第二の通路構成部とが合体することにより、上記供給部から遊技球を案内する通路の少なくとも一部を構成する前面通路が形成されることを特徴とする遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の背面側に遊技球の払い出し通路を形成したものが知られている。（例えば、特許文献１、図２、参照。）。
かかる構成によれば、払い出し通路中に払い出し装置が備えられるため、タンクに貯留された遊技球のうち指定された数量だけを払い出すことが可能であった。払い出された遊技球は前面側に案内されて、遊技に使用される。
【先行技術文献】
【特許文献】
【０００３】
【特許文献１】特開２００４−０７３７１９号公報
【発明の概要】
【発明が解決しようとする課題】
【０００４】
上述した従来の遊技機において、払い出し通路を遊技機の背面側に備えることにより、遊技機の背面側における各基板等の設置スペースが限定されるという課題があった。また、遊技球が遊技者の視認不可能な通路を流通して払い出されることから、面白みが少ないという課題があった。
【０００５】
本発明は、上記課題にかんがみてなされたもので、遊技機の背面側のスペースを有効に利用可能な遊技機の提供を目的とする。
【課題を解決するための手段】
【０００６】
上記目的を達成するため、請求項１にかかる発明では、上部に備えられ外部装置から遊技球が供給される供給部と、本体枠の前面側に設けられた遊技領域と、上記本体枠の前面側において回動可能に枢支されるとともに所定の回動位置にて同本体枠に背面側を略密着させつつ窓穴から上記遊技領域を視認させる窓枠とを備える遊技機において、
上記本体枠に背面側が略密着するように上記窓枠を回動させたときに、上記本体枠の前面側に形成された第一の通路構成部と上記窓枠の背面側に形成された第二の通路構成部とが合体することにより、上記供給部から遊技球を案内する通路の少なくとも一部を構成する前面通路が形成される構成としてある。
【０００７】
上記のように構成した請求項１の発明において、供給部が遊技機の上部に備えられ、同供給部に対して外部装置から遊技球が供給される。本体枠には遊技球が流通可能な遊技領域が形成され、同遊技領域にて遊技が行われる。窓枠は上記本体枠の前面側において回動可能に枢支される。そして、上記窓枠を所定の位置に回動させることにより、同窓枠の背面側と上記本体枠を略密着させることができる。上記本体枠の前面側には第一の通路構成部が形成され、上記窓枠の背面側には第二の通路構成部が形成される。そして、上記本体枠に背面側が略密着するように上記窓枠を回動させると、上記第一の通路構成部と上記第二の通路構成部とが合体し、上記供給部から遊技球を案内する通路の少なくとも一部を構成する前面通路が形成される。
【０００８】
すなわち、上記供給部から遊技球を案内する通路のすべてが上記遊技機の背面側に備えられないため、同背面側のスペースを広く確保することができる。一方、上記本体枠から背面側が離反するように上記窓枠を回動させることにより、上記前面通路が上記第一の通路構成部と上記第二の通路構成部とに分離させることができる。従って、上記前面通路が分離した状態で同前面通路の清掃を行うことができる。
【０００９】
本発明は、上記の構成に限られるものではなく、以下の手段も含むものである。
【００１０】
手段１
手段１にかかる発明は、請求項１に記載した発明において、上記前面通路は前面側に露出するように備えられるとともに、内部が透視可能に形成される構成としてある。
【００１１】
すなわち、上記前面通路の内部を流通する遊技球の様子を視認することができるため、遊技者が遊技球の供給状態を把握することができる。上述したとおり、上記前面通路は分離可能に形成されているため、同前面通路の内部の清掃を行うことができる。従って、遊技者の目にさらされる上記前面通路の見栄えを良好に保つことができる。
【００１２】
手段２
手段２にかかる発明は、請求項１または手段１のいずれかに記載した発明において、上記供給部は上記遊技機の背面側に備えられるとともに、
上記供給部から上記前面通路に遊技球を案内する連絡通路が上記遊技機の前後を貫通して形成される構成としてある。
【００１３】
すなわち、上記遊技機を前後に貫通する連絡通路を形成することにより、上記遊技機の背面側に備えられた上記供給部から遊技球を上記前面通路まで案内することができる。上記遊技機の背面側に備えられる上記供給部として遊技球タンク等を適用することができる。上記遊技球タンクは大量の遊技球を一時的に貯留しておくことから、遊技者の手の届く位置に配設すると、遊技球が盗み取られるおそれがある。従って、上記遊技球タンクは遊技機の背面側に配設しておくことが望ましい。
【００１４】
手段３
手段３にかかる発明は、請求項１または手段１または手段２のいずれかに記載した発明において、上記第二の通路構成部は前面側に凹む溝状に形成される構成としてある。
【００１５】
すなわち、上記第二の通路構成部を前面側に凹む溝状とすることにより、上記前面通路の通路幅を前面側に広く確保することができる。従って、上記前面通路における遊技球の流通量が多い場合でも、球詰まりを発生させることなく遊技球を流通させることができる。
【００１６】
手段４
手段４にかかる発明は、手段３に記載した発明において、上記第一の通路構成部は、前面側に突出するように形成されるとともに、上記本体枠に背面側が略密着するように上記窓枠を回動させたとき前面側に凹む溝状に形成された上記第二の通路構成部の内側に背面側から嵌り込む構成としてある。
【００１７】
すなわち、上記本体枠に背面側が略密着するように上記窓枠を回動させたときに、前面側に突設した上記第一の通路構成部を上記第二の通路構成部の内側に背面側から嵌り込ませることができる。このように、上記第一の通路構成部を上記第二の通路構成部の内側に背面側から嵌り込ませることにより、確実に同第一の通路構成部を同第二の通路構成部を合体させることができる。また、上記第一の通路構成部を前面側に突出するように形成することにより、上記前面通路を全体的に前面側に形成することができる。従って、上記前面通路を前面側に露出しやすくすることができる。
【００１８】
手段５
手段５にかかる発明は、請求項１または手段１から手段４のいずれかに記載した発明に
おいて、上記第一の通路構成部は背面側に凹む樋状に形成される構成としてある。
【００１９】
すなわち、上記第一の通路構成部を背面側に凹む樋状とすることにより、上記前面通路の通路幅を背面側に広く確保することができる。従って、上記前面通路における遊技球の流通量が多い場合でも、球詰まりを発生させることなく遊技球を流通させることができる。
【００２０】
手段６
手段６にかかる発明は、請求項１または手段１から手段４のいずれかに記載した発明において、上記第一の通路構成部および上記第二の通路構成部は、上記本体枠に背面側が略密着するように上記窓枠を回動させたときにそれぞれ互いに嵌合し合う嵌合構造を有する構成としてある。
【００２１】
すなわち、上記第一の通路構成部および上記第二の通路構成部に嵌合構造を設けることにより、上記本体枠に背面側が略密着するように上記窓枠を回動させたときに確実に上記前面通路が形成されるようにすることができる。
【００２２】
手段７
手段７にかかる発明は、請求項１または手段１から手段６のいずれかに記載した発明において、上記前面通路は、上記窓枠が回動する際の固定端側に備えられる構成としてある。
【００２３】
すなわち、上記前面通路を上記窓枠が回動する際の固定端側に配設することにより、同窓枠の自由端側から遠い位置に同前面通路を配設することができる。従って、上記窓枠の少し回動させて、同窓枠の自由端と上記本体枠との間に隙間を形成し、この隙間に手を入れて上記前面通路に不正を加えることを防止することができる。
【００２４】
手段８
手段８にかかる発明は、請求項１または手段１から手段６のいずれかに記載した発明において、上記前面通路は、上記窓枠が回動する際の自由端側に備えられる構成としてある。
【００２５】
すなわち、上記前面通路を上記窓枠が回動する際の自由端側に備えることにより、同窓枠の自由端側から近い位置に同前面通路を配設することができる。従って、上記窓枠の少し回動させて、同窓枠の自由端と上記本体枠との間に隙間を形成し、この隙間に手を入れて上記前面通路のメンテナンスや検査等を行うことができる。すなわち、上記前面通路を上記窓枠の回動の自由端側に配設することによってメンテナンス性を重視することができ、固定端側に配設することよって不正防止性を重視することができる。
【００２６】
手段９
手段９にかかる発明は、請求項１または手段１から手段８のいずれかに記載した発明において、上記遊技領域に遊技球を発射する発射機構に遊技球を供給可能な上皿が上記遊技機の前面側に突設されるとともに、
上記前面通路から上記上皿に遊技球を案内する案内通路が上記遊技機の前面側に突出して形成される構成としてある。
【００２７】
すなわち、上記遊技機の前面側に上記発射機構に遊技球を供給可能な上皿が備えられ、案内通路によって上記前面通路から同上皿に遊技球が案内される。上記案内通路は上記遊技機の前面側に突出するように形成される。すなわち、上記遊技機の前面側に突設される上記上皿に遊技球を案内する上記案内通路を同遊技機の前面側に突出するように形成して
もよい。
【００２８】
手段１０
手段１０にかかる発明は、請求項１または手段１から手段８のいずれかに記載した発明において、上記発射機構に遊技球を供給可能な上皿が上記遊技機の前面側に突設されるとともに、
上記前面通路から上記上皿に遊技球を案内する案内通路が上記遊技機の内部に埋設される構成としてある。
【００２９】
すなわち、上記遊技機の前面側に上記発射機構に遊技球を供給可能な上皿が備えられ、案内通路によって上記前面通路から同上皿に遊技球が案内される。上記案内通路は上記遊技機の内部に埋設される。すなわち、上記上皿に遊技球を案内する上記案内通路を同遊技機に埋設しても形成してもよい。
【００３０】
手段１１
手段１１にかかる発明は、手段２から手段１０のいずれかに記載した発明において、上記連絡通路には、上記前面通路が上記第一の通路構成部と上記第二の通路構成部とに分離したとき同連絡通路における遊技球の流通を阻害するシャッターが備えられる構成としてある。
【００３１】
すなわち、上記前面通路が上記第一の通路構成部と上記第二の通路構成部とに分離したとき、同前面通路にて遊技球を流通させることが不可能となるが、シャッターが上記連絡通路にて遊技球の流通を阻害することにより同前面通路に遊技球が供給することを防止することができる。すなわち、流通不可能な状態となっている上記前面通路に対して遊技球が供給されないようにすることができる。
【００３２】
手段１２
手段１２にかかる発明は、手段１１に記載した発明において、上記シャッターは上記連絡通路において回動可能に枢支されるとともに、上記本体枠に背面側が略密着するように上記窓枠を回動させたとき同窓枠から背面側に突設された押圧部との干渉により上記連絡通路にて遊技球が流通可能となる回転位置に回動させられる構成としてある。
【００３３】
すなわち、上記本体枠に背面側が略密着するように上記窓枠を回動させたとき上記前面通路が上記第一の通路構成部と上記第二の通路構成部とが合体するが、このときに上記連絡通路にて遊技球を流通させることが可能となる。上記窓枠から背面側に突設された押圧部を上記連絡通路において回動可能に枢支された上記シャッターに干渉させることにより、上記窓枠を回動に応じて上記シャッターを回動させることができる。
【００３４】
手段１３
手段１３にかかる発明は、手段１２に記載した発明において、上記シャッターを上記連絡通路にて遊技球が流通不可能となる回転位置に回動させるように付勢するバネが備えられる構成としてある。
【００３５】
すなわち、バネによって上記シャッターを上記連絡通路にて遊技球が流通不可能となる回転位置に回動させるように付勢しておくことにより、上記押圧部と上記シャッターとが干渉しない状態においては、確実に上記シャッターにて遊技球の流通を阻害することができる。
【００３６】
手段１４
手段１４にかかる発明は、請求項１または手段１から手段１３のいずれかに記載した発
明において、上記供給部と上記前面通路との間に設けられ、所望の数の遊技球を上記前面通路に払い出し可能な払い出し装置が備えられる構成としてある。
【００３７】
すなわち、上記払い出し装置を上記供給部と上記前面通路との間に設けることにより、所望の数の遊技球を上記前面通路に払い出すことが可能となる。
【００３８】
手段１５
手段１５にかかる発明は、手段１４に記載した発明において、上記払い出し装置は上記遊技機の背面側に備えられる構成としてある。
【００３９】
すなわち、上記払い出し装置を上記遊技機の背面側に配設することにより、同払い出し装置に不正が加えられることが防止できる。従って、遊技球の払い出し量が不正にコントロールされることを防止することができる。
【００４０】
手段１６
手段１６にかかる発明は、請求項１または手段１から手段１５のいずれかに記載した発明において、上記前面通路または上記案内通路に球貸し機の遊技球排出口が接続する構成としてある。
【００４１】
すなわち、上記前面通路または上記案内通路に球貸し機の遊技球排出口を接続しておくことにより、上記球貸し機にて排出された遊技球を直接遊技に使用することができる。
【００４２】
手段１７
手段１７にかかる発明は、請求項１、または、手段１から手段１６のいずれかに記載した発明において、上記窓枠は上記窓穴を塞ぐ透明板を保持する透明板保持枠である構成としてある。
【００４３】
すなわち、上記窓枠に上記窓穴を塞ぐ透明板が備えられるため、上記窓枠を所定の回動位置に回動させて、上記本体枠に略密着させたときには、上記遊技領域を前面側から閉鎖することができる。上記透明板はガラスや合成樹脂等の透明素材で形成されるため、上記遊技領域を前面側から閉鎖しつつ視認することができる。
【００４４】
手段１８
手段１８にかかる発明は、請求項１、または、手段１から手段１７のいずれかに記載した発明において、上記本体枠に背面側が略密着するように上記窓枠を回動させたときに上記前面通路は視認可能とされるとともに、同前面通路には装飾が形成される構成としてある。
【００４５】
すなわち、上記本体枠に背面側が略密着するように上記窓枠を回動させて遊技を行うときに、上記前面通路に形成された装飾を視認することができる。従って、上記遊技機の趣向性を向上させることができる。
【００４６】
手段１９
手段１９にかかる発明は、手段１８に記載した発明において、上記前面通路は、同前面通路の内部が視認可能となるように形成されるとともに、同前面通路の内部に上記装飾が形成される構成としてある。
【００４７】
すなわち、上記前面通路の内部を視認可能とし、同前面通路の内部に上記装飾を形成するようにしてもよい。上記前面通路の内部が視認可能となるため、同前面通路の内部を流通する遊技球も視認することができ、遊技者は遊技球の払い出し状態を認識することがで
きる。また、流下する遊技球によって上記前面通路の装飾効果を相乗させることができる。
【００４８】
手段２０
手段２０にかかる発明は、手段１８に記載した発明において、上記装飾により上記前面通路の内部が視認不能とされる構成としてある。
【００４９】
すなわち、上記前面通路に同前面通路の内部を隠すような上記装飾を設けてもよい。このようにすることにより、上記前面通路の内部を流通する遊技球を隠すことができるため、不正を防止することができる。
【００５０】
手段２１
手段２１にかかる発明は、請求項１または手段１から手段１９のいずれかに記載した発明において、上記遊技機は上記遊技領域にてドラムが回転させられるパチロットある構成としてある。
【００５１】
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しと発射が行われるため、本発明を適用することができる。
【発明の効果】
【００５２】
以上説明したように、請求項１にかかる発明によれば、遊技機の背面側のスペースを有効に利用可能であるとともに、良好な見栄えを維持することが可能な遊技機を提供することができる。
【００５３】
手段１にかかる発明によれば、遊技球の供給状態を視認することができる。
【００５４】
手段２にかかる発明によれば、遊技球を背面側から前面側の前面通路に案内することができる。
【００５５】
手段３にかかる発明によれば、前面通路において遊技球をスムーズに流通させることができる。
【００５６】
手段４にかかる発明によれば、前面通路を確実に合体させることができる。
【００５７】
手段５にかかる発明によれば、前面通路において遊技球をスムーズに流通させることができる。
【００５８】
手段６にかかる発明によれば、前面通路を確実に合体させることができる。
【００５９】
手段７にかかる発明によれば、前面通路に対する不正を防止することができる。
【００６０】
手段８にかかる発明によれば、前面通路のメンテナンスを容易に行うことができる。
【００６１】
手段９にかかる発明によれば、簡易な構造で遊技球を上皿に案内することができる。
【００６２】
手段１０にかかる発明によれば、遊技機をかさばらないように形成することができる。
【００６３】
手段１１にかかる発明によれば、分離させられた前面経路に遊技球が供給されないよう
にすることができる。
【００６４】
手段１２にかかる発明によれば、合体した前面経路に遊技球を供給することができる。
【００６５】
手段１３にかかる発明によれば、確実に遊技球の供給を停止させることができる。
【００６６】
手段１４にかかる発明によれば、前面通路を払い出し経路として利用することができる。
【００６７】
手段１５にかかる発明によれば、払い出し装置に対する不正を防止することができる。
【００６８】
手段１６にかかる発明によれば、球貸し機のから貸し出された遊技球をスムーズに遊技に使用することができる。
【００６９】
手段１７にかかる発明によれば、遊技領域を閉鎖することができる。
【００７０】
手段１８にかかる発明によれば、遊技機の趣向性を向上させることができる。
【００７１】
手段１９にかかる発明によれば、遊技機の趣向性を向上させることができる。
【００７２】
手段２０にかかる発明によれば、不正を防止することができる。
【００７３】
手段２１にかかる発明によれば、パチロットの背面側のスペースを有効に利用することができる。
【図面の簡単な説明】
【００７４】
【図１】第一の実施形態にかかるパチンコ遊技機の斜視図である。
【図２】第一の実施形態にかかるパチンコ遊技機の背面図である。
【図３】第一の実施形態にかかる連絡通路の説明図である。
【図４】第一の実施形態にかかるパチンコ遊技機の斜視図である。
【図５】第一の実施形態にかかるガラス枠の背面斜視図である。
【図６】第一の実施形態にかかるガラス枠の正面斜視図である。
【図７】第一の実施形態にかかる前面通路の断面図である。
【図８】第一の実施形態にかかる前面通路の断面図である。
【図９】第一の実施形態にかかる案内通路の断面図である。
【図１０】第一の実施形態にかかる案内通路の断面図である。
【図１１】第二の実施形態にかかるパチンコ遊技機の斜視図である。
【図１２】第二の実施形態にかかるパチンコ遊技機の斜視図である。
【図１３】第二の実施形態にかかる前面通路の断面図である。
【図１４】第二の実施形態にかかる前面通路の断面図である。
【図１５】第二の実施形態にかかる前面通路の断面図である。
【図１６】第三の実施形態にかかる前面通路の断面図である。
【図１７】第四の実施形態にかかる連絡通路の斜視図である。
【図１８】第五の実施形態にかかる前面通路の断面図である。
【図１９】第六の実施形態にかかる前面通路の断面図である。
【図２０】第六の実施形態にかかる前面通路の断面図である。
【図２１】第六の実施形態にかかる前面通路の正面図である。
【図２２】第七の実施形態にかかるパチロットの斜視図である。
【図２３】第七の実施形態にかかるパチロットの分解斜視図である。
【発明を実施するための形態】
【００７５】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（６）第六の実施形態：
（７）第七の実施形態：
（８）まとめ：
（１）第一の実施形態：
図１は、本発明の第一の実施形態にかかるパチンコ遊技機を斜めから見て示している。同図において、パチンコ遊技機１０は木材で矩形枠状に形成された外枠１１を有しており、同外枠１１をホール等に固定することにより正立した状態で設置される。外枠１１の内側には合成樹脂等で形成された矩形枠状の本体枠１２が嵌め込まれている。本体枠１２の前面側には、同本体枠１２と回動可能な窓枠および透明板保持枠としてのガラス枠１３が枢支されている。ガラス枠１３は中央部に窓穴１３ｄを有しており、同開口から透明板としてのガラス１３ａが露出するように保持されている。
【００７６】
ガラス１３ａは透視可能であり、ガラス１３ａの内側を視認することが可能となっている。本体枠１２は矩形開口を有しており、同矩形開口にて矩形板状の遊技盤２４が保持されている。そして、前面側からガラス１３ａを透視することにより、その内側に保持された遊技盤２４の様子を視認することが可能となっている。遊技盤２４の前面には略円環状の遊技レールが立設されており、同遊技レールおよびガラス枠１３に囲まれた遊技領域にて遊技球を流通させて遊技を行う。ガラス枠１３の下方には上皿１４が前面に向かって突設されており、さらにその下方には下皿１５が前面に向かって突設されている。上皿１４および下皿１５は所定の深みを有する皿状に形成されているため、遊技球を貯留しておくことができる。
【００７７】
下皿１５の側方には半球状の発射ハンドル１６が回動可能に突設されており、同発射ハンドル１６の回動量に応じて遊技球の発射を行うことが可能となっている。発射ハンドル１６が備えられた部位の内部には発射機構１６ａが備えられている。発射機構１６ａは、遊技領域まで遊技球を案内するレールと、発射ハンドル１６の回動量に応じて動作する発射槌を有している。また、上皿１４と発射機構１６ａとは図示しない通路により連通しており、上皿１４に貯留された遊技球を発射槌に供給することが可能となっている。そして、供給された遊技球を発射槌が弾くことにより、遊技球が付勢され、遊技領域に発射される。
【００７８】
図２は、パチンコ遊技機１０を背面側から見て示している。同図において、パチンコ遊技機１０の背面側には略板状の機構板１７が枢支されており、本体枠１２に保持されている遊技盤２４は同機構板１７によって背面側から覆われている。機構板１７には保護カバー２２が取り付けられており、同保護カバー２２に背面側から覆われるように液晶ユニット２１や制御ボックス２３が配設されている。液晶ユニット２１は遊技領域の中央部に表示面を露出させる液晶パネルを駆動するための装置であり、遊技盤２４を貫通するように取り付けられている。制御ボックス２３はパチンコ遊技機１０の主要な動作を制御する制御基板を収容する基板ボックスであり、内部の制御基板を強固に封止している。
【００７９】
パチンコ遊技機１０の背面側の上部には遊技球が貯留可能なタンク１８が備えられている、タンク１８は幅方向に長い皿状に形成されており、上方に開口している。タンク１８は本発明にいう供給部に相当し、同タンク１８はホール等に設置される遊技球供給装置か
ら遊技球の供給を受ける。タンク１８を遊技機における上方部分に備えておくことにより、遊技球が重力に引かれて流下する勢いを利用して、遊技球を流通させることができる。タンク１８の底面は紙面右方が低くなるように形成されており、タンク１８内を流下する遊技球は紙面右方向に流通する。
【００８０】
タンク１８の底面の紙面右方端部には穴が形成されており、同穴からタンクレール１８ａに遊技球が落下する。タンクレール１８ａは紙面右側が低くなるように傾斜しており、タンクレール１８ａに落下した遊技球は紙面右側に流下する。さらに、タンクレール１８ａの紙面側端部の下方に備えられた払い出し装置１９に遊技球が落下する。払い出し装置１９は遊技球の直径程度の内径を有する通路１９ａを有しており、同通路１９ａの側方にて略五角形の回転体１９ｂが備えられ、同回転体１９ｂの一部が同通路１９ａの内部に突出している。そして、回転体１９ｂが１／５回転する毎に遊技球を一球下方に送り出すことが可能となっている。すなわち、回転体１９ｂの回転量に応じて払い出される遊技球の数量が制御されている。なお、回転体１９ｂの回転量は、制御ボックス２３に収容された制御基板等に備えられたＣＰＵ等の演算結果に応じて制御されている。
【００８１】
例えば、大当たりが出た場合等には回転体１９ｂを高速に回転させるようにＣＰＵ等が指令する。逆に、賞球がない場合には、回転体１９ｂを停止させるようにＣＰＵ等が指令する。通路１９ａは払い出し装置１９の下方に備えられたガイド部材２０の内部に連通しており、払い出し装置１９にて払い出された遊技球はガイド部材２０の内部に落下する。
【００８２】
図３は、遊技球の通路を模式的に示している。同図において、ガイド部材２０は内部に略Ｌ字状の通路２０ａを有しており、通路２０ａの底面は前方になるほど低くなるように傾斜している。通路２０ａの前方端部は開口しており、底面を伝って流下する遊技球を前方に排出することが可能となっている。また、通路２０ａの前方端部の開口は、機構板１７を前後に貫通するように形成された機構板通路１７ａの後端と接続されている。従って、ガイド部材２０から排出された遊技球は、機構板通路１７ａに導入される。機構板通路１７ａの底面も前方になるほど低くなるように傾斜しているため、機構板通路１７ａに導入された遊技球はさらに前方に流下する。
【００８３】
機構板１７は本体枠１２に対して回動可能に枢支されているが、機構板１７と本体枠１２とが平行となるように機構板１７を回動させることにより、機構板１７と本体枠１２（あるいは、本体枠１２に保持された遊技盤２４。）とが略密着する。このとき、機構板通路１７ａの前端も本体枠１２に背面側から接触し、同本体枠１２を前後に貫通するように形成された本体枠通路１２ａの後端と接続する。このようにすることにより、機構板通路１７ａを流下した遊技球を本体枠通路１２ａに案内することができる。本体枠通路１２ａの底面も前方になるほど低くなるように傾斜しているため、本体枠通路１２ａに導入された遊技球はさらに本体枠通路１２ａを前方に流下する。
【００８４】
一方、本体枠１２の前面側において背面側に向かって凹みを形成することにより、第一の通路構成部３０Ａが設けられている。第一の通路構成部３０Ａと本体枠通路１２ａとは接続しており、本体枠通路１２ａを流下した遊技球は第一の通路構成部３０Ａに案内される。本体枠１２の前面側に備えられるガラス枠１３には、前面通路３０が備えられている。ガラス枠１３は本体枠１２に対して回動可能に枢支されているが、図１のように遊技領域にガラス枠１３が前面側から略密着し、同遊技領域が閉鎖されるようにガラス枠１３を回動させたときには、ガラス枠１３と本体枠１２（あるいは、本体枠１２に保持された遊技盤２４。）とを平行に略密着させることができる。
【００８５】
このとき、第一の通路構成部３０Ａとガラス枠１３に形成されたと第二の通路構成部３０Ｂとが前後に重なる。第一の通路構成部３０Ａと第二の通路構成部３０Ｂとが前後に向かい合うことにより、前面側に開放していた第一の通路構成部３０Ａが前面側から閉鎖され、遊技球を第一の通路構成部３０Ａに沿って流下させることが可能となる。なお、上記のようにして合体した通路はパチンコ遊技機１０の前面側に位置しているため、前面通路３０というものとする。
【００８６】
このようにパチンコ遊技機１０を構成する各部材の前後を貫通する機構板通路１７ａと本体枠通路１２ａと形成し、これらを前後に接続することにより、パチンコ遊技機１０を前後に貫通する連絡通路Ａを形成することができる。この連絡通路Ａによれば遊技球を背面側から前面側に流通させることができるため、払い出し装置１９から払い出された遊技球を前面側に供給することができる。なお、連絡通路Ａは遊技盤２４を貫通して形成するようにしてもよい。本体枠１２は遊技盤２４の外側を枠状に囲んで保持しているため、連絡通路Ａを遊技盤２４の外側に形成すれば連絡通路Ａは本体枠１２を貫通することとなるし、連絡通路Ａを遊技盤２４の内側に形成すれば連絡通路Ａは遊技盤２４を貫通することとなる。
【００８７】
図４はパチンコ遊技機１０を斜めから見て示している。同図において、ガラス枠１３は図１に示した状態から回動し、ガラス枠１３の背面側と本体枠１２の前面側とが離反することにより、遊技領域２５は前面側に開放されている。本体枠１２は略矩形状の矩形開口１２ｂを有しており、同矩形開口１２ｂから矩形板状の遊技盤２４が前面側に露出している。遊技盤２４の前面側に略円環状の遊技レール２５ａを突設することにより、遊技盤２４の前面側にて遊技領域２５の内外を区画している。遊技領域２５の内側には液晶表示装置２５ｂや風車２５ｃ等が配設されている。遊技盤２４は本体枠１２よりやや奥方にて保持されているため、遊技領域２５は本体枠１２の中央部において奥方に凹んだ位置に形成されることとなる。本体枠１２におけるガラス枠１３の固定端側の辺の上部において本体枠通路１２ａの前方端部が開口している。この開口から下方に向かって背面側に凹む溝を形成することにより第一の通路構成部３０Ａが設けられている。
【００８８】
図５はガラス枠１３を背面側から見て示し、図６はガラス枠１３を背面側から見て示し前面側から見て示している。両図において、ガラス枠１３は略板状に形成されており、中央部に窓穴１３ｄを備えている。ガラス枠１３の左辺には上下一対の回動ヒンジ１３ｅ１，１３ｅ２が設けられており、これらを貫通する鉛直な回動軸にて回動することが可能となっている。一方、図１に示すように本体枠１２におけるガラス枠１３の回動自由端を待ち受ける部位には施錠機構１２ｃが形成されており、同施錠機構１２ｃにてガラス枠１３の回動自由端を固定することが可能となっている。従って、ガラス枠１３を回動させて遊技領域２５を前面側から略閉鎖したときには、施錠機構１２ｃによってガラス枠１３の回動自由端を固定することができ、不正に遊技領域２５が開放されることを防止することが可能となっている。
【００８９】
ガラス枠１３の背面側には、略コの字状に形成されたガラス保持フレーム２６が取り付け面２６ｂにてネジ止め固定されている。ガラス保持フレーム２６は、窓穴１３ｄの両側方および下方を囲むように略コの字状に形成されており、内側部分が背面側に突出するように屈曲されている。そして、屈曲された部位の先端には断面略コの字状のガラス保持レール２６ａが形成されている。ガラス保持レール２６ａは内側にガラス１３ａを挟んで保持することが可能であり、ガラス１３ａはガラス枠１３から背面側に突出した位置にて保持されている。このように、ガラス１３ａをガラス枠１３から背面側に突出して保持することにより、ガラス枠１３にて遊技領域２５を閉鎖する際には、奥方（背面側方向）に凹んだ位置に形成された遊技領域２５の遊技レール２５ａ等にガラス１３ａを密着させることができる。
【００９０】
ガラス枠１３における回動ヒンジ１３ｅ１，１３ｅ２が設けられる側には前面側に凹む
溝状の第二の通路構成部３０Ｂが形成されている。第二の通路構成部３０Ｂの前面側部分はガラス枠１３よりも前面側に突出するように形成されている。第二の通路構成部３０Ｂは独立した部材として形成し、ガラス枠１３に取り付けるようにしてもよいし、ガラス枠１３と一体成型するようにしてもよい。第二の通路構成部３０Ｂは透明な合成樹脂で形成されており、前面側から第二の通路構成部３０Ｂの内側を透視することが可能となっている。
【００９１】
図７は、前面通路３０の水平断面を見て示している。同図において、ガラス枠１３が遊技盤２４と平行となるように回動させられており、遊技領域２５は前面側からガラス１３ａによって略閉鎖されている。このとき、ガラス枠１３の回動における固定端側に形成された第一の通路構成部３０Ａと第二の通路構成部３０Ｂとが前後に重なる。すなわち、背面側に凹んだ形状とされた第一の通路構成部３０Ａと、前面側に凹んだ形状とされた第二の通路構成部３０Ｂとが向かい合うことにより、略円柱状の中空空間が形成される。図３において説明したように、この中空空間の内部に対して遊技球を背面側から供給することが可能であり、供給された遊技球はこの中空空間（前面通路３０）内を下方に落下することとなる。
【００９２】
また、背面側に凹んだ溝状の第一の通路構成部３０Ａに対して前面側に凹んだ溝状の第二の通路構成部３０Ｂを前面側から向かい合わせることにより、前面通路３０の通路幅を広く確保することができる。従って、単位時間あたりに大量の遊技球を払い出し装置１９が払い出した場合であっても、前面通路３０にて球詰まりを発生させることなく、遊技球を流通させることができる。第二の通路構成部３０Ｂは透明に形成されているため、前面通路３０の内部を流通する遊技球の様子を視認することができる。従って、遊技者はどれだけの遊技球が賞球として払い出されたかを実感することができる。また、略鉛直に流下する遊技球の様子を遊技者に見せることにより、パチンコ遊技機１０の装飾性や趣向性も向上させることができる。
【００９３】
図８においても前面通路３０の水平断面を見て示している。同図においては、ガラス枠１３が遊技盤２４に対して傾斜するように回動させられており、遊技領域２５は前面側に開放されている。従って、同図の状態において遊技領域２５に配設された釘の角度調整や、各種部材のメンテナンス等を行うことができる。かかる状態において、回動可能なガラス枠１３に形成された第二の通路構成部３０Ｂは、本体枠１２の第一の通路構成部３０Ａから離反させられている。すなわち、前面通路３０を構成していた第一の通路構成部３０Ａと第二の通路構成部３０Ｂとが分離した状態となっている。
【００９４】
ところで、前面通路３０は大量の遊技球が流通し汚れやすい。また、遊技者が前面通路３０の内部を視認することが可能となっているため、見栄えを損なわぬよう頻繁に清掃をしておく必要がある。これに対して、図８のように、第一の通路構成部３０Ａと第二の通路構成部３０Ｂとが分離した状態では前面通路３０の内壁面を外側に露出させることができるため、前面通路３０の内壁面の清掃を容易に行うことができる。従って、遊技者の目につきやすい前面通路３０を清潔に保つことができ、パチンコ遊技機１０の見栄えを良好に維持することできる。また、ガラス枠１３は釘調整等のために頻繁に開放されるため、その都度清掃を行うことができ、便利である。
【００９５】
図４に示すように、前面通路３０はガラス枠１３の下端に形成された出口３３（図４の符合を修正しました。）にて終端している。従って、前面通路３０を流下した遊技球は出口３３から下方に向かって放出される。前面通路３０の出口３３に対向可能な位置において上端を開口させる略筒状の案内経路４０が設けられている。従って、前面通路３０を流下した遊技球は案内経路４０に落下し、案内経路４０の内部を流下する、案内経路４０の上方部分は軸方向を鉛直に配向させており、上皿１４の側方をかすめている。案内経路４
０の下方部分は屈曲されており、先端に形成された下皿出口４２が下皿１５の内部に位置させられている。従って、最終的に下皿出口４２に到達した遊技球を下皿１５に放出することができる。
【００９６】
案内経路４０の下方部分における遊技球の進行方向は幅方向にほぼ水平となるように案内経路４０の下方部分は傾斜している。従って、下皿１５の底面に対してほぼ平行に遊技球を着弾させることができ、着弾時の衝撃を和らげることができる。また、下皿１５は幅方向広く形成されているため、幅方向に放出される遊技球が下皿１５からこぼれ落ちることが防止できる。
【００９７】
図９は、案内経路４０の上方部分の鉛直断面を見て示している。同図において、案内経路４０は上端にて前面通路３０と接続している。案内経路４０は上皿１４の側面に密着しており、上皿１４との密着部位には上皿出口４１が穿設されている。一方、上皿１４において上皿出口４１と対向する部位にも導入穴１４ａが穿設されている。上皿出口４１の下端から内側に向かって略板状の案内翼４４が突設されている。案内翼４４は上皿出口４１に近づくにつれ低くなるように傾斜しており、案内翼４４上の遊技球は上皿出口４１に向かって流下する。案内経路４０の内部における案内翼４４の上方には、略板状のガイド翼４３が内側に向かって突設されている。ガイド翼４３は案内翼４４の上方にて終端しており、先端になるほど低くなるように傾斜している。ガイド翼４３の先端と案内経路４０の内壁とは少なくとも遊技球の直径以上の間隔が確保されている。
【００９８】
このようにすることにより、案内経路４０の内部を落下する遊技球をガイド翼４３に衝突させ、ガイド翼４３上を流下させることにより、案内翼４４上に遊技球を落下させることができる。また、ガイド翼４３に落下しない遊技球は、直接、案内翼４４上に落下する。いずれにしても、遊技球が案内翼４４上に落下させることができ、遊技球を上皿１４に案内することができる。上皿１４に案内された遊技球は一時的に上皿１４に貯留され発射機構１６ａに導かれるため、前面通路３０を流通した遊技球を遊技に使用すること可能となる。
【００９９】
図１０は、上皿１４において貯留された遊技球が満杯となる状態を示している。同図において、満杯状態となった遊技球が導入穴１４ａや案内翼４４上にも滞留している。この状態において、案内翼４４上に遊技球が落下すると、案内翼４４上に滞留した遊技球に、落下した遊技球が衝突し跳ね返されることとなる。跳ね返された遊技球は案内翼４４から落下し、さらに案内経路４０の内部を下方に落下することとなる。そして、案内翼４４から落下した遊技球は、最終的に下皿１５に放出される。かかる構成により、上皿１４に貯留された遊技球が満杯状態のときのみ遊技球を下皿１５に排出することが可能となっている。
【０１００】
本実施形態において、パチンコ遊技機１０における遊技領域２５よりも前面側に前面通路３０を形成することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。例えば、遊技領域の中央に配置される液晶表示装置２５ｂを大型化するようなことも可能である。また、ガラス枠１３および本体枠１２にまたがるように前面通路３０を埋設しているため、遊技領域２５の側方のスペースを効率よく利用することができる。なお、遊技領域２５の視認性を妨げないように、前面通路３０を遊技領域２５の外側に設けておくことが望ましい。
【０１０１】
（２）第二の実施形態：
図１１は、第二の実施形態にかかるパチンコ遊技機を斜めから見て示している。同図に
おいて、前面通路１３０は第一の実施形態とほぼ同様の構成とされているが、前面通路１３０はガラス枠１１３の下端にて終端している。図１２は、本体枠１１２を斜めから見て示している。同図において、遊技領域１２５を前面側に開放するように破線で示すガラス枠１１３が回動させられている。ガラス枠１１３に備えられた第二の通路構成部１３０Ｂは前面側に凹むように形成されており、下端を下方に開口させることにより出口１３３が形成されている。
【０１０２】
遊技領域１２５が前面側から閉鎖されるようにガラス枠１１３を回動させたとき、出口１３３に対向可能な開口１４１が本体枠１１２に穿設されている。遊技領域１２５が閉鎖するようにガラス枠１１３を回動させたときに出口１３３に対向可能な開口１４１を本体枠１１２に形成している。一方、上皿１１４の内部に遊技球を排出可能な上皿出口１４２が設けられており、開口１４１と上皿出口１４２とを連通させる案内通路１４０が本体枠１１２に埋設されている。従って、前面通路１３０の出口から排出された遊技球を上皿１１４の内部に案内することができる。上皿１１４に案内された遊技球は一時的に上皿１１４に貯留され発射機構１１６ａに導かれるため、前面通路１３０を流通した遊技球を遊技に使用することが可能となる。このように、案内通路１４０を本体枠１１２に埋設することにより、最短距離で遊技球を上皿１１４に案内することができるとともに、パチンコ遊技機１１０をコンパクトに形成することができる。
【０１０３】
さらに、本体枠１１２の内部にはオーバーフロー通路１４３が埋設されており、オーバーフロー通路１４３は上皿出口１４２の直前にて案内通路１４０から分岐させられている。オーバーフロー通路１４３の終端には下皿出口１４４が形成されており、オーバーフロー通路１４３を流通する遊技球を下皿１１５に排出することが可能となっている。案内通路１４０を流通する遊技球は原則的に上皿出口１４２に案内されるが、上皿出口１４２の付近に遊技球が充填されている場合には、上皿出口１４２に遊技球が流下することが充填された遊技球によって妨げられる。そして、行き場を失った遊技球がオーバーフロー通路１４３に流れ込むことが可能となっている。すなわち、上皿１１４に貯留された遊技球が満杯状態のときのみ遊技球を下皿１１５に排出することが可能となっている。
【０１０４】
第一の通路構成部１３０Ａは、本体枠１１２から前面側に突出するように形成されている。第一の通路構成部１３０Ａは第二の通路構成部１３０Ｂと同様に軸方向を鉛直に配向させており、断面が矩形状となるように突出している。第一の通路構成部１３０Ａは、遊技領域１２５が前面側から閉鎖されるようにガラス枠１１３を回動させたときに第二の通路構成部１３０Ｂの回動を待ち受ける位置に形成されており、第二の通路構成部１３０Ｂの内側に嵌り込むことが可能となっている。
【０１０５】
図１４は、第二の通路構成部１３０Ｂの内側に第一の通路構成部１３０Ａが嵌り込んだ状態の前面通路１３０の水平断面を見て示している。同図において、第二の通路構成部１３０Ｂの内側に第一の通路構成部１３０Ａが嵌り込むことにより、第二の通路構成部１３０Ｂと第一の通路構成部１３０Ａとが合体した前面通路１３０が形成されている。これにより、遊技球を外側に離脱させることなく前面通路１３０の内部にて流通させることができる。また、前面通路１３０の外側において本体枠１１２とガラス枠１１３との間に形成される隙間の形状を略Ｌ字状に屈曲させることができるため、同隙間から前面通路１３０の内部に異物が侵入されることを防止することができる。
【０１０６】
さらに、第一の通路構成部１３０Ａを前面側に突設することにより、前面通路１３０における遊技球の流通位置を前面側に底上げすることができる。従って、より遊技者に近い位置にて遊技球を流下させることができ、遊技球の払い出しがあったことを確実に認識させることができる。第一の通路構成部１３０Ａの突出量に応じて、第二の通路構成部１３０Ｂを大きく前方に突出するように形成してもよい。この場合、前面通路１３０をより目
立たせることができる。
【０１０７】
図１５は、遊技領域１２５が前面側に開放するようにガラス枠１１３を回動させた状態を示している。同図において、第一の通路構成部１３０Ａと第二の通路構成部１３０Ｂとが離反させられており、前面通路１３０が分離している。従って、本実施形態においても、第一の実施形態と同様に前面通路１３０の内部の清掃を容易に行うことができる。むろん、パチンコ遊技機１１０の背面側に遊技球を払い出すための経路が形成されないため、パチンコ遊技機１１０の背面側のスペースを広く確保することができる。
【０１０８】
前面通路１３０をガラス枠１１３と本体枠１１２とによって挟まれる位置に配設することにより、ガラス枠１１３を回動させない限り前面通路１３０を外部から手を加えることはできない。通常、ガラス枠１１３には施錠機構が設けられるため、不正にガラス枠１１３を回動させることは不可能となっている。従って、前面通路１３０に対して不正が行われることを防止することができる。
【０１０９】
また、仮に施錠を解除してガラス枠１１３を回動させることができたとしても、前面通路１３０はガラス枠１１３の回動固定端側に位置しているため、ガラス枠１１３を少し回動させたときに形成されるガラス枠１１３の自由端側と本体枠１１２との隙間に手を入れても前面通路１３０に手が届かない。すなわち、前面通路１３０に不正な操作を加えるにはガラス枠１１３をほぼ全開させなければならず、秘密裏に不正が行われることが防止できる。一方、正規に開錠してガラス枠１１３を回動させれば、前面通路２３０を視認しつつ、容易にメンテナンスや清掃をすることができる。従って、前面通路１３０にて球詰まり等が発生した場合にも、本体枠１１２を外枠１１１に対して回動させることなく迅速に処置を行うことができる。
【０１１０】
（３）第三の実施形態：
図１６は、第三の実施形態にかかる前面通路の断面を見て示している。同図において、前面通路２３０は第二の実施形態とほぼ同様の構成とされているため、相違する点のみについて説明するものとする。前面通路２３０はガラス枠２１３の回動における自由端側に取り付けられている。このように、前面通路２３０を回動自由端側に取り付けることにより、ガラス枠２１３の少しの開放により第一の通路構成部２３０Ａと第二の通路構成部２３０Ｂとを大きく離反させることができる。また、自由端側に形成されるガラス枠２１３と本体枠２１２との隙間に対して第一の通路構成部２３０Ａと第二の通路構成部２３０Ｂとが近い位置にあるため、ガラス枠２１３を少し回動させるだけで、前面通路２３０の清掃等を行うことができる。従って、前面通路２３０のメンテナンス性が向上する。ただし、メンテナンス性よりも不正防止性を重視する場合には、第二の実施形態のように回動固定端側に前面通路を取り付けておくことが望ましい。
【０１１１】
以上説明したように、本発明においてガラス枠が回動することにより、前面通路が第一の通路構成部と第二の通路構成部とに分離することとなる。すると、前面通路を流通していた遊技球や前面通路に流れ込もうとしていた遊技球を拘束しておくことができなくなり、これらの遊技球が散らかってしまうという問題があった。これに対して、前面通路に遊技球を供給するいずれかの通路に遊技球の供給を停止させるシャッターを備えさせることにより、遊技球が散らかることを防止することができる。以下、その具体的構成について説明する。
【０１１２】
（４）第四の実施形態：
図１７は、第一の実施形態と同様に形成した本体枠通路３１２ａの終端に取り付けられたシャッター３６０を斜めから見て示している。同図において、シャッター３６０は本体枠通路３１２ａの断面とほぼ同じ外形を有する略板状に形成されており、幅方向外側に突
出する一対の円柱状の軸突起３６１，３６１を備えている。本体枠通路３１２ａの内壁面には軸突起３６１，３６１をそれぞれ軸受けするための凹部が形成されており、同凹部に軸突起３６１，３６１をそれぞれ軸受けすることによりシャッター３６０が回動可能に枢支されている。軸突起３６１，３６１は水平方向の回動軸を構成し、シャッター３６０は水平な回動軸を中心として回動することが可能となっている。
【０１１３】
軸突起３６１，３６１はシャッター３６０の上端からやや低い位置に形成されており、一方の軸突起３６１にはバネ３６３が取り付けられている。バネ３６３はコイル状のトーションバネであり、同コイル部分の内側を軸突起３６１が挿通している。バネ３６３の一端はシャッター３６０に固定されており、もう一端が本体枠通路３１２ａの内壁面に固定されている。図のように、本体枠通路３１２ａの終端開口がシャッター３６０に塞がれるとき、バネ３６３の両端は直交し本来の形状となる。従って、バネ３６３の両端が交差する角度を広げたり、狭めたりすることにより、バネ３６３に付勢力を蓄積させることができる。すなわち、バネ３６３によって、シャッター３６０は本体枠通路３１２ａの終端開口を塞ぐように付勢されている。
【０１１４】
一方、ガラス枠３１３に形成された第二の通路構成部３３０Ｂの上端部には背面側に突出する略板状の押圧部３５０が延設されている。押圧部３５０は、遊技領域が閉鎖するようにガラス枠３１３を回動させたとき、シャッター３６０における軸突起３６１，３６１が形成された位置よりも高い位置に干渉することが可能となっている。従って、遊技領域が閉鎖するようにガラス枠３１３を回動させると、シャッター３６０における軸突起３６１，３６１が形成された位置よりも高い部位が背面側に押し込まれ、シャッター３６０を回動させることができる。シャッター３６０が回動することにより、本体枠通路３１２ａの終端開口が前面側に開放されるため、本体枠通路３１２ａを前面側に流下する遊技球を第一の通路構成部３３０Ａの前方に案内することができる。
【０１１５】
すなわち、遊技領域が閉鎖するようにガラス枠３１３を回動させたとき、第一の通路構成部３３０Ａと第二の通路構成部３３０Ｂとが合体して前面通路が形成され、同前面通路に遊技球を案内することができる。これに対して、遊技領域が開放するようにガラス枠３１３を回動させたとき、シャッター３６０と押圧部３５０との干渉がなくなるため、バネ３６３の付勢力によってシャッター３６０が回動し本体枠通路３１２ａの終端開口を閉鎖する。すなわち、第一の通路構成部３３０Ａと第二の通路構成部３３０Ｂとが分離したときには、遊技球が本体枠通路３１２ａから供給されないようにすることができる。従って、第一の通路構成部３３０Ａと第二の通路構成部３３０Ｂが合体されていないにもかかわらず、遊技球が本体枠通路３１２ａの終端開口から放出されることを防止することができ、遊技球が散らかることを防止することができる。
【０１１６】
（５）第五の実施形態：
図１８は、第五の実施形態にかかる前面通路の断面を見て示している。同図において、第一の通路構成部４３０Ａは第一の実施形態と同様に形成されている。一方、第二の通路構成部４３０Ｂは透明板によって平面状に形成されている。このように、第一の通路構成部４３０Ａまたは第二の通路構成部４３０Ｂを平面状に形成することも可能である。一方を平面状に形成しておくことにより、構造を簡素化させることができる。また、第二の通路構成部４３０Ｂを平面状に形成することにより、前面通路４３０をガラス枠４１３よりも背面側に形成することができるため、前面通路４３０に不正を行いにくくすることができる。
【０１１７】
（６）第六の実施形態：
図１９は、第六の実施形態にかかる前面通路の断面を見て示している。同図において、第二の通路構成部５３０Ｂは第一の実施形態と同様にガラス枠５１３よりも前方に突出す
るように形成されている。ただし、第二の通路構成部５３０Ｂの両端をガラス枠５１３よりも背面側に突出させることにより一対の凸部５３０ｂ，５３０ｂが形成されている。一方、第一の通路構成部５３０Ａは平面状に形成されており、同第一の通路構成部５３０Ａにおける一対の凸部５３０ｂ，５３０ｂの回動を待ち受ける部位には一対の凹部５３０ａ，５３０ａが形成されている。凹部５３０ａ，５３０ａは本体枠５１２に凸部５３０ｂ，５３０ｂよりもやや大きい溝を形成することにより設けられている。
【０１１８】
このようにすることにより、図２０のように遊技領域５２５が前面側から閉鎖されるようにガラス枠５１３を回動させたとき、凹部５３０ａ，５３０ａに凸部５３０ｂ，５３０ｂをそれぞれ嵌合させることができる。従って、第一の通路構成部５３０Ａと第二の通路構成部５３０Ｂとの間に形成される隙間を複雑な形状とすることができ、同隙間から前面通路５３０の内部に異物が侵入されることを防止することができる。また、第一の通路構成部５３０Ａと第二の通路構成部５３０Ｂとを正確に位置決めすることができ、確実に両者を合体させることができる。なお、凹部５３０ａ，５３０ａおよび凸部５３０ｂ，５３０ｂは本発明にいう嵌合構造を構成する。
【０１１９】
図２１は、前面通路５３０を正面から見て示している。同図において、前面通路５３０はガラス枠５１３よりも前方に突出するように形成されているため、第二の通路構成部５３０Ｂが前面側から視認可能とされている。第二の通路構成部５３０Ｂは、例えばＡＢＳ，ＰＥＴ，ＰＰＥ等といった透光性樹脂で形成されており、第二の通路構成部５３０Ｂの背面側を透視することが可能となっている。第二の通路構成部５３０Ｂの上方部分には装飾等が形成されておらず、第二の通路構成部５３０Ｂの背面側にて同第二の通路構成部５３０Ｂに対向する第一の通路構成部５３０Ａが視認可能となっている。これに対して、第二の通路構成部５３０Ｂの下方部分の表面には、背景が黒色に着色され、その中央部に魚の模様が描かれた第二の装飾５３０Ｂ１が設けられている。これにより、第二の装飾５３０Ｂ１の裏側に位置する第一の通路構成部５３０Ａの一部を視認させないようにしている。
【０１２０】
一方、第二の通路構成部５３０Ｂの裏側にて透視可能な第一の通路構成部５３０Ａは、全体が水色で形成されており、破線のように川の流れを示す第一の装飾５３０（縦線の模様）が描かれている。このようにすることにより、第一の装飾５３０Ａ１と第二の装飾５３０Ｂ１とが合成された模様を形成することができる。同図の例では、第二の装飾５３０Ｂ１に描かれた魚の模様と川の模様とを立体的に合成することができ、高い趣向性を実現することができる。さらに、第一の通路構成部５３０Ａと第二の通路構成部５３０Ｂとの間を流下する遊技球も視認することができるため、川の流れを動的に表現することができる。すなわち、第一の装飾５３０Ａ１と第二の装飾５３０Ｂ１と流下する遊技球によって高い趣向性を実現することができる。
【０１２１】
透光性を有さない第二の装飾５３０Ｂ１を設けることにより、第二の装飾５３０Ｂ１の裏側に位置する前面通路５３０の内部を隠しておくことができる。従って、前面通路５３０の内部を流通する遊技球等を隠して、不正を防止することができる。むろん、第一の通路構成部５３０Ａと第二の通路構成部５３０Ｂとを分離させることができるため、これらで形成される装飾を清潔に保つことができる。なお、前面通路５３０を装飾するにあたっては、ＬＥＤ等の照明を使用してもよい。さらに、前面通路５３０よりも前面側に前面通路５３０を隠すの装飾カバーを設けるようにしてもよい。このようにすることにより、前面通路５３０の前面側に装飾を設けることができるとともに、前面通路５３０の存在を知られないようにすることができる。従って、前面通路５３０に対する不正を防止することができる。
【０１２２】
（７）第七の実施形態：
図２２は、第七の実施形態にかかる遊技機としてのパチロットを斜めから見て示している。パチロット６１０は、スロットマシンにおけるメダルの代わりに遊技球を利用するものであり、例えば、パチンコ球の５個がメダル１個に相当して遊技を楽しむことができる。パチロット６１０は、スロットマシンと同様に回転するドラム６１４ａを備える遊技領域６１４を有している。このようなパチロット６１０においても遊技媒体として遊技球が使用されるため、遊技状態に応じた遊技球が払い出されることとなる。従って、パチロット６１０の前面側に前面通路６３０を形成することができ、それにより、パチロット６１０の背面側のスペースを広く確保することができる。
【０１２３】
なお、図２３に示すように、パチロット６１０も外枠６１１と本体枠６１２とを有し、本体枠６１２の前面側にはドラム６１４ａが保持された遊技領域６１４が形成される。本体枠６１２の背面側には遊技球の供給を受けるタンク６１８が設けられている。本体枠６１２には前後に貫通する連絡通路Ａが形成されており、同連絡通路Ａを介してタンク６１８に貯留された遊技球が本体枠６１２の前面側に案内される。本体枠６１２の前面側には操作レバーや操作ボタンが形成された窓枠６１３が取り付けられる。窓枠６１３は本体枠６１２に対して左側の辺を回動軸として回動可能に取り付けられる。窓枠６１３と本体枠６１２とが略平行となるように、窓枠６１３を回動させたとき、窓枠６１３の背面側と本体枠６１２の前面側とが略密着する。
【０１２４】
このとき、窓枠６１３の略中央部に形成された矩形状の窓穴６１３ｄからはドラム６１４ａが保持された遊技領域６１４が視認可能となる。また、このとき窓枠６１３に取り付けられた第二の通路構成部６３０Ｂと本体枠６１２の前面側に形成された第一の通路構成部６３０Ａとが前後に対向して前面通路６３０が形成される。さらに、このとき窓枠６１３に取り付けられた前面通路６３０と連絡通路Ａとが接続し、タンク６１８に貯留された遊技球を前面通路６３０に案内することができる。なお、窓枠６１３をガラス等の透明板によって塞ぐことによりパチロット６１０の遊技領域６１４を閉鎖させてもよいし、本実施形態のように遊技領域６１４を開放させておいてもよい。
【０１２５】
（８）まとめ：
以上説明したように本発明によれば、パチンコ遊技機１０の前面側に前面通路３０を配設することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。また、ガラス枠１３を回動させることにより、前面通路３０は本体枠１２の前面側に形成された第一の通路構成部３０Ａとガラス枠１３の背面側に形成された第二の通路構成部３０Ｂとに分離することが可能であるため、前面通路３０の清掃を容易に行うことができる。
【符号の説明】
【０１２６】
１０，１１０…パチンコ遊技機
６１０…パチロット
１１…外枠
１２，１１２，２１２，３１２，４１２，５１２…本体枠
１３，１１３，２１３，５１３…ガラス枠
１３ａ…ガラス
１４…上皿
１５…下皿
１６…発射ハンドル
１６ａ…発射機構
１７…機構板
１８…タンク
１９…払い出し装置
２０…ガイド部材
２４…遊技盤
２５…遊技領域
２５ｂ…液晶表示装置
２５ｃ…風車
２６…ガラス保持フレーム
２６ａ……ガラス保持レール
３０，１３０，２３０，４３０，５３０，６３０…前面通路
３０Ａ，１３０Ａ，２３０Ａ，３３０Ａ，４３０Ａ，５３０Ａ…第一の通路構成部
３０Ｂ，１３０Ｂ，２３０Ｂ，３３０Ｂ，４３０Ｂ，５３０Ｂ…第一の通路構成部
３２…入口
３３…出口
４０…案内通路
４３…オーバーフロー通路
３６０…シャッター
Ａ…連絡通路
【図１】
2014140726.tif 000003
【図２】
2014140726.tif 000004
【図３】
2014140726.tif 000005
【図４】
2014140726.tif 000006
【図５】
2014140726.tif 000007
【図６】
2014140726.tif 000008
【図７】
2014140726.tif 000009
【図８】
2014140726.tif 000010
【図９】
2014140726.tif 000011
【図１０】
2014140726.tif 000012
【図１１】
2014140726.tif 000013
【図１２】
2014140726.tif 000014
【図１３】
2014140726.tif 000015
【図１４】
2014140726.tif 000016
【図１５】
2014140726.tif 000017
【図１６】
2014140726.tif 000018
【図１７】
2014140726.tif 000019
【図１８】
2014140726.tif 000020
【図１９】
2014140726.tif 000021
【図２０】
2014140726.tif 000022
【図２１】
2014140726.tif 000023
【図２２】
2014140726.tif 000024
【図２３】
2014140726.tif 000025